(57)【特許請求の範囲】
【請求項１】
通信機能および画面への情報表示機能を有し、身分証明情報を表示する表示端末装置であって、
自装置を使用するユーザを認証し、身分証明情報および前記身分証明情報を画面へ表示する形式を示す書式情報群を管理するサーバ装置との通信を行なう第１の通信機能と、
自装置を使用するユーザの登録を行ない、前記サーバ装置から前記身分証明情報を取得し管理する情報端末装置との通信を行なう第２の通信機能と、
前記サーバ装置から前記書式情報群を取得し、前記情報端末装置から前記身分証明情報を取得し、前記取得した書式情報群および身分証明情報を記憶する記憶機能と、
前記記憶した書式情報群に基づいて、前記記憶した身分証明情報を画面に表示する証明表示機能と、を備え、
前記第１の通信機能は、
前記サーバ装置から前記書式情報群を変更する指示を取得し、
前記証明表示機能は、
前記取得した指示に基づいて書式情報群を変更し、前記変更した書式情報群に基づいて、前記身分証明情報を画面に表示することを特徴とする表示端末装置。
【請求項２】
前記第１の通信機能は、前記サーバ装置から暗号化された書式情報群を取得し、
前記第２の通信機能は、前記サーバ装置から送信された暗号化鍵が含まれた身分証明書を、前記情報端末装置から取得し、
前記証明表示機能は、前記取得した身分証明情報に含まれた暗号化鍵を用いて、前記取得した書式情報群を復号化することを特徴とする請求項１記載の表示端末装置。
【請求項３】
前記身分証明情報は、少なくとも発行者、氏名、顔写真および識別番号を含み、
前記書式情報群は、少なくとも表示位置、文字の大きさ、フォント、文字色および画像のいずれかの情報を含み、
前記証明表示機能は、書式情報群の変更前の画面と書式情報群の変更後の画面とを対比した場合、視覚により両者の相違が認識できるように画面に前記身分証明情報を表示することを特徴とする請求項１または請求項２に記載の表示端末装置。
【請求項４】
前記証明表示機能は、前記サーバ装置との通信が途絶した場合に、少なくとも前記身分証明情報を消去することを特徴とする請求項１から請求項３のいずれかに記載の表示端末装置。
【請求項５】
前記証明表示機能は、自装置に電力を供給するバッテリーの充電量が第１の閾値以下となった場合に、少なくとも前記身分証明情報を消去することを特徴とする請求項１から請求項４のいずれかに記載の表示端末装置。
【請求項６】
自システムを使用するユーザを認証し、身分証明情報および前記身分証明情報を画面へ表示する形式を示す書式情報群を管理するサーバ装置と、
自システムを使用するユーザの登録を行ない、前記サーバ装置から前記身分証明情報を取得し管理する情報端末装置と、
前記サーバ装置から前記書式情報群を取得し、前記情報端末装置から前記身分証明情報を取得し、前記取得した書式情報群に基づいて、前記取得した身分証明情報を画面に表示する表示端末装置と、から構成される情報表示システムであって、
前記サーバ装置は、
前記情報端末装置および前記表示端末装置と通信を行なう第１の通信機能と、
前記身分証明情報を記憶する第１の証明記憶機能と、
複数の前記書式情報群を記憶する表示情報記憶機能と、
いずれかの前記書式情報群を選択し、前記表示端末装置へ前記選択した書式情報群を配信し、前記身分証明情報の書式情報群を変更する指示を行なう表示更新機能と、を備え、
前記情報端末装置は、
前記サーバ装置と通信を行なう第１の通信機能と、
前記表示端末装置と通信を行なう第２の通信機能と、
自システムを使用するユーザを認証するユーザ認証機能と、
前記サーバ装置から取得した前記身分証明情報を記憶する第２の証明記憶機能と、
前記第２の通信機能を用いて、前記記憶した身分証明情報を前記表示端末装置へ送付する証明端末制御機能と、を備え、
前記表示端末装置は、
前記サーバ装置と通信を行なう第１の通信機能と、
前記情報端末装置と通信を行なう第２の通信機能と、
前記サーバ装置から前記書式情報群を取得し、前記情報端末装置から前記身分証明情報を取得し、前記書式情報群および前記身分証明情報を記憶する記憶機能と、
前記記憶した書式情報群に基づいて、前記身分証明情報を画面に表示する証明表示機能と、を備え、
前記第１の通信機能は、
前記サーバ装置から前記書式情報群を変更する指示を取得し、
前記証明表示機能は、
前記取得した指示に基づいて書式情報群を変更し、前記変更した書式情報群に基づいて、前記身分証明情報を画面に表示することを特徴とする情報表示システム。
【請求項７】
通信機能および画面への情報表示機能を有し、身分証明情報を表示する表示端末装置の情報表示方法であって、
自装置を使用するユーザを認証し、身分証明情報および前記身分証明情報を画面へ表示する形式を示す書式情報群を管理するサーバ装置との通信を行なうステップと、
自装置を使用するユーザの登録を行ない、前記サーバ装置から前記身分証明情報を取得し管理する情報端末装置との通信を行なうステップと、
前記サーバ装置から前記書式情報群を取得し、前記情報端末装置から前記身分証明情報を取得し、前記取得した書式情報群および身分証明情報を記憶するステップと、
前記記憶した書式情報群に基づいて、前記記憶した身分証明情報を画面に表示するステップと、
前記サーバ装置から前記書式情報群を変更する指示を取得した場合は、前記取得した指示に基づいて書式情報群を変更し、前記変更した書式情報群に基づいて、前記身分証明情報を画面に表示するステップと、を少なくとも含むことを特徴とする情報表示方法。
【請求項８】
通信機能および画面への情報表示機能を有し、身分証明情報を表示するプログラムであって、
自装置を使用するユーザを認証し、身分証明情報および前記身分証明情報を画面へ表示する形式を示す書式情報群を管理するサーバ装置との通信を行なう処理と、
自装置を使用するユーザの登録を行ない、前記サーバ装置から前記身分証明情報を取得し管理する情報端末装置との通信を行なう処理と、
前記サーバ装置から前記書式情報群を取得し、前記情報端末装置から前記身分証明情報を取得し、前記取得した書式情報群および身分証明情報を記憶する処理と、
前記記憶した書式情報群に基づいて、前記記憶した身分証明情報を画面に表示する処理と、
前記サーバ装置から前記書式情報群を変更する指示を取得した場合は、前記取得した指示に基づいて書式情報群を変更し、前記変更した書式情報群に基づいて、前記身分証明情報を画面に表示する処理と、の一連の処理をコンピュータに実行させること特徴とするプログラム。
【発明の詳細な説明】
【技術分野】
【０００１】
本発明は、通信機能および画面への情報表示機能を有し、身分証明情報を表示する表示端末装置、情報表示システム、情報表示方法およびプログラムに関する。
【背景技術】
【０００２】
従来から、企業などでは、社屋へ入館する際の身分証明書として、会社名、顔写真および氏名が印刷された社員証ＩＣカード（Integrated Circuit Card）や社員証磁気カードが用いられている。また、その他の身分証明書として、ＩＣチップが搭載された運転免許証やパスポートが使用されている。このように、電子情報をＩＣチップや磁気カードに記憶して、カードリーダーにより読み出し、身分を証明する身分証明書が主に用いられている。また、これらの身分証明書は、社屋入館後においてもセキュリティを高めるために、社屋内においては身分証明書を名札のようにピン留めしたり、ネックストラップをかけたりして、常に身につけさせて、身分証明情報を他者に常に見えるように用いられている。
【０００３】
特許文献１は、身分を認証し、電子データで名刺交換を行ない、来訪者を通知すると共に、ドア入室にも利用できる身分認証付電子名刺システムを開示している。本システムによれば、電子名刺機がサーバから送信された認証済の個人情報と顔写真を表示して名札として使用されるので、本人以外が電子名刺機を名札で使用すると、顔写真が使用者と相違することになる。このため、第三者が容易に不正を認識することができる。
【０００４】
また、特許文献２は、所有者の氏名や属性等の情報を電子的手段で記憶、表示する電子名札であって、プライバシーや機密に配慮しつつ、必要な情報を表示するシステムを開示している。本システムによれば、特定のエリアへの入退場の情報を管理し、当該電子名札を使用する電子名刺システムエリアに応じて、属性情報の一部または全部を、非表示もしくは表示に切り替えて、電子名札に表示するため、必要な場所でのみ必要な情報を表示することが可能である。
【先行技術文献】
【特許文献】
【０００５】
【特許文献１】特開２００６−１２７０６４号公報
【特許文献２】特許第４８１０９７６号公報
【発明の概要】
【発明が解決しようとする課題】
【０００６】
しかしながら、ＩＣチップに記憶される電子情報の偽造防止策は電子証明書が一般ではあるが、電子証明書の確認は、カードリーダーが手元にない場合、人が直接確認し判断することは困難である。例えば、盗用された身分証明書の顔写真が改ざんされたものか否かを、人が判断することは困難になる場合がある。
【０００７】
また、例えば、社員証ＩＣカード等の証明書においては、発行者、氏名、顔写真および企業ロゴの情報は、一定の長期間不変な情報であり、そのＩＣカードの有効期間は、プラスチックカード上に磁気情報と共に印刷し、記録されることが多い。この技術を有する者であれば、紛失した届出のないＩＣカードを拾得し、そのＩＣカードを用いて時間をかけて顔写真等と改ざんすれば、偽造できる可能性がある。
【０００８】
また、従来、印刷媒体の偽造防止技術として、精密印刷技術、透かし、ホログラム印刷、潜像印刷等があるが、これらの技術を有する者であれば、時間をかければ、偽造できる可能性がある。
【０００９】
また、特許文献１では、表示領域の変更については示唆されておらず、模倣デバイスを使用された場合、名札が模倣され、なりすましされる可能性がある。
【００１０】
また、特許文献２では、エリアごとに表示項目を選別して名札表示を変更するに留まり、万一、模倣デバイスを使用された場合、名札が模倣され、なりすましされる可能性がある。
【００１１】
一方、スマートフォンやタブレット等の情報端末は、表示画面も大きく高精細で遠くからも表示画面が見やすくなり、紛失時も遠隔ロック機能やデータ削除機能などもあり、セキュリティ面でも高性能を有するため、電子名札として利用できる可能性がある。しかし、スマートフォンやタブレット等の情報端末は、電話やインターネット等の通信手段として利用され、その利用頻度の高さから、名札のように自己の身分証明情報を常時表示し、首からつりさげる利用方法は好ましくない。
【００１２】
本発明は、このような事情に鑑みてなされたものであり、身分証明情報の表示を模倣した表示端末装置の使用を防ぐことができ、なりすましを抑制することができる表示端末装置、情報表示システム、情報表示方法およびプログラムを提供することを目的とする。
【課題を解決するための手段】
【００１３】
（１）上記の目的を達成するために、本発明は、以下のような手段を講じた。すなわち、本発明の表示端末装置は、通信機能および画面への情報表示機能を有し、身分証明情報を表示する表示端末装置であって、身分証明情報、および前記身分証明情報を画面へ表示する形式を示す書式情報群を取得する第１の通信機能と、前記取得した書式情報群に基づいて、前記身分証明情報を画面に表示する証明表示機能と、を備え、前記第１の通信機能は、サーバ装置から前記書式情報群を変更する指示を取得し、前記証明表示機能は、前記取得した指示に基づいて書式情報群を変更し、前記変更した書式情報群に基づいて、前記身分証明情報を画面に表示することを特徴とする。
【００１４】
このように、表示端末装置は、サーバ装置から身分証明情報、および身分証明情報を画面へ表示する形式を示す書式情報群を取得し、また、サーバ装置から書式情報群を変更する指示を取得し、取得した指示に基づいて書式情報群を変更し、変更した書式情報群に基づいて、身分証明情報を画面に表示することにより、サーバ装置からの書式情報群および書式情報群を変更する指示の配信のタイミングで、画面に表示する身分証明情報が変更されるため、身分証明情報の表示を模倣した表示端末装置の使用を防ぐことができ、なりすましを抑制することができる。
【００１５】
（２）また、本発明の表示端末装置において、前記第１の通信機能は、視認可能な画像情報、並びに前記身分証明情報および前記画像情報を画面へ表示する形式を示す書式情報群を取得し、前記証明表示機能は、前記取得した書式情報群に基づいて、前記身分証明情報および前記画像情報を画面に表示することを特徴とする。
【００１６】
このように、視認可能な画像情報を含む書式情報群に基づいて、身分証明情報および画像情報を画面に表示し、正規利用者は自身の表示端末装置の画面と、真偽を判断しようとする相手の表示端末装置の画面に表示されている表示形式や画像を、視覚により対比することで身分証明情報の真偽を判断できるため、表示端末装置の偽造を防止することができる。
【００１７】
（３）また、本発明の表示端末装置において、前記身分証明情報は、少なくとも発行者、氏名、顔写真および識別番号を含み、前記書式情報群は、少なくとも表示位置、文字の大きさ、フォント、文字色および画像のいずれかの情報を含む前記書式情報群を取得し、前記証明表示機能は、書式情報群の変更前の画面と書式情報群の変更後の画面とを対比した場合、視覚により両者の相違が認識できるように画面に前記身分証明情報を表示することを特徴とする。
【００１８】
このように、書式情報群の変更前の画面と書式情報群の変更後の画面とを対比し、視覚により両者の相違が認識できるように画面に身分証明情報を表示することで、一目で身分証明情報の真偽を判断できるため、表示端末装置の偽造を防止することができる。
【００１９】
（４）また、本発明の表示端末装置において、前記第１の通信機能は、前記サーバ装置から暗号化鍵が含まれた身分証明情報および暗号化された書式情報群を取得し、前記証明表示機能は、前記取得した身分証明情報に含まれた暗号化鍵を用いて、前記取得した書式情報群を復号化することを特徴とする。
【００２０】
このように、暗号化鍵が含まれた身分証明情報および暗号化された書式情報群をそれぞれ送付し、表示端末装置にて、身分証明情報に含まれた暗号化鍵を用いて書式情報群を復号化し表示することにより、セキュリティを高めることができる。
【００２１】
（５）また、本発明の表示端末装置において、前記サーバ装置から身分証明情報を取得し自装置へ前記身分証明情報を転送する情報端末装置と通信する第２の通信機能を備えることを特徴とする。
【００２２】
このように、表示端末装置は、身分証明情報をサーバ装置から情報端末装置を経由して取得し、書式情報群をサーバ装置から直接取得することにより、２経路による情報伝達を行なうため、セキュリティを高めることができる。
【００２３】
（６）また、本発明の表示端末装置において、前記証明表示機能は、サーバ装置との通信が途絶した場合に、少なくとも前記身分証明情報を消去することを特徴とする。
【００２４】
このように、サーバ装置との通信が途絶した場合に、少なくとも身分証明情報を消去することにより、表示端末装置を紛失した場合に拾得した表示端末装置を用いたなりすましを防止することができる。身分証明情報を表示する必要のない場所へユーザが移動した場合の不必要な身分証明情報の表示を防止することができる。
【００２５】
（７）また、本発明の表示端末装置において、前記証明表示機能は、自装置に電力を供給するバッテリーの充電量が第１の閾値以下となった場合に、少なくとも前記身分証明情報を消去することを特徴とする。
【００２６】
このように、表示端末装置に電力を供給するバッテリーの充電量が第１の閾値以下となった場合に、少なくとも身分証明情報を消去することにより、表示端末装置を紛失した場合に拾得した表示端末装置を用いたなりすましを防止することができ、また、身分証明情報を表示する必要のない場所へユーザが移動した場合の不必要な身分証明情報の表示を防止することができる。
【００２７】
（８）また、本発明の情報表示システムは、自システムを使用するユーザを認証し、身分証明情報および前記身分証明情報を画面へ表示する形式を示す書式情報群を管理するサーバ装置と、自システムを使用するユーザの登録を行ない、前記サーバ装置から前記身分証明情報を取得し管理する情報端末装置と、前記サーバ装置から前記書式情報群を取得し、前記情報端末装置から前記身分証明情報を取得し、前記取得した書式情報群に基づいて、前記取得した身分証明情報を画面に表示する表示端末装置と、から構成される情報表示システムであって、前記サーバ装置は、前記情報端末装置および前記表示端末装置と通信を行なう第１の通信機能と、前記身分証明情報を記憶する第１の証明記憶機能と、複数の前記書式情報群を記憶する表示情報記憶機能と、いずれかの前記書式情報群を選択し、前記表示端末装置へ前記選択した書式情報群を配信し、前記身分証明情報の書式情報群を変更する指示を行なう表示更新機能と、を備え、前記情報端末装置は、前記サーバ装置と通信を行なう第１の通信機能と、前記表示端末装置と通信を行なう第２の通信機能と、自システムを使用するユーザを認証するユーザ認証機能と、前記サーバ装置から取得した前記身分証明情報を記憶する第２の証明記憶機能と、前記第２の通信機能を用いて、前記記憶した身分証明情報を前記表示端末装置へ送付する表示端末制御機能と、を備え、前記表示端末装置は、前記サーバ装置と通信を行なう第１の通信機能と、前記情報端末装置と通信を行なう第２の通信機能と、前記サーバ装置から前記書式情報群を取得し、前記情報端末装置から前記身分証明情報を取得し、前記書式情報群および前記身分証明情報を記憶する記憶機能と、前記記憶した書式情報群に基づいて、前記身分証明情報を画面に表示する証明表示機能と、を備え、前記第１の通信機能は、前記サーバ装置から前記書式情報群を変更する指示を取得し、前記証明表示機能は、前記取得した指示に基づいて書式情報群を変更し、前記変更した書式情報群に基づいて、前記身分証明情報を画面に表示することを特徴とする。
【００２８】
これにより、サーバ装置からの書式情報群および書式情報群を変更する指示が配信されたタイミングで、表示端末装置の画面に表示する身分証明情報が変更されるため、表示端末の表示を模倣した表示端末装置の使用を防ぐことができ、なりすましを抑制することができる。また、身分証明情報をサーバ装置から情報端末装置を介して表示端末装置へ送付することにより、身分証明情報の取得機能を情報端末装置に搭載することができ、情報端末装置にユーザ認証等の必要な機能があれば良く、表示端末装置は表示更新機能を備えていれば良いため、手軽に持ち歩くことができる情報表示システムを提供することができる。
【００２９】
（９）また、本発明の情報表示方法は、通信機能および画面への情報表示機能を有し、身分証明情報を表示する表示端末装置の情報表示方法であって、身分証明情報、および前記身分証明情報を画面へ表示する形式を示す書式情報群を取得するステップと、前記取得した書式情報群に基づいて、前記身分証明情報を画面に表示するステップと、サーバ装置から前記書式情報群を変更する指示を取得するステップと、前記取得した指示に基づいて書式情報群を変更し、前記変更した書式情報群に基づいて、前記身分証明情報を画面に表示するステップと、を少なくとも含むことを特徴とする。
【００３０】
これにより、サーバ装置から書式情報群および書式情報群を変更する指示の配信のタイミングで、画面に表示する身分証明情報が変更されるため、身分証明情報の表示を模倣した表示端末装置の使用を防ぐことができ、なりすましを抑制することができる。
【００３１】
（１０）また、本発明のプログラムは、通信機能および画面への情報表示機能を有し、身分証明情報を表示するプログラムであって、身分証明情報、および前記身分証明情報を画面へ表示する形式を示す書式情報群を取得する処理と、前記取得した書式情報群に基づいて、前記身分証明情報を画面に表示する処理と、サーバ装置から前記書式情報群を変更する指示を取得する処理と、前記取得した指示に基づいて書式情報群を変更し、前記変更した書式情報群に基づいて、前記身分証明情報を画面に表示する処理と、の一連の処理をコンピュータに実行させることを特徴とする。
【００３２】
これにより、サーバ装置から書式情報群および書式情報群を変更する指示の配信のタイミングで、画面に表示する身分証明情報が変更されるため、身分証明情報の表示を模倣した表示端末装置の使用を防ぐことができ、なりすましを抑制することができる。身分証明情報をサーバ装置から情報端末装置を介して表示端末装置へ送付することにより、身分証明情報の取得機能を情報端末装置に搭載することができ、情報端末装置にユーザ認証等に必要な機能があれば良く、表示端末装置は表示更新機能を備えていれば良いため、手軽に持ち歩くことができる情報表示システムを提供することができる。
【発明の効果】
【００３３】
本発明によれば、サーバ装置から書式情報群および書式情報群を変更する指示の配信のタイミングで、画面に表示する身分証明情報が変更されるため、身分証明情報の表示を模倣した表示端末装置の使用を防ぐことができ、なりすましを抑制することができる。
【図面の簡単な説明】
【００３４】
【図１】本発明の全体の構成を示す図である。
【図２】本実施形態に係る情報表示システムの機能的構成を示すブロック図である。
【図３Ａ】表示端末装置に表示された情報が真の場合の動作を示すイメージ図である。
【図３Ｂ】表示端末装置に表示された情報が偽の場合の動作を示すイメージ図である。
【図４】表示端末装置の主な動作を示すフローチャートである。
【図５】情報端末装置の主な動作を示すフローチャートである。
【図６】サーバ装置の主な動作を示すフローチャートである。
【図７】表示端末装置、情報端末装置、サーバ装置の間の処理の一例を示すシーケンス図である。
【発明を実施するための形態】
【００３５】
本発明者らは、身分証明書の表示内容が固定されていると、電子透かしなどの技術を用いたとしても、身分証明書の偽造を完全に防ぐことはできないことに着目し、身分証明書の表示形式を随時変更すると共に、視覚により一目で変更前後の表示形式の差異が識別できるように表示することで、身分証明書の真偽を判断することができるようになることを見出し、本発明をするに至った。
【００３６】
すなわち、本発明は、通信機能および画面への情報表示機能を有し、身分証明情報を表示する表示端末装置であって、身分証明情報、および前記身分証明情報を画面へ表示する形式を示す書式情報群を取得する第１の通信機能と、前記取得した書式情報群に基づいて、前記身分証明情報を画面に表示する証明表示機能と、を備え、前記第１の通信機能は、サーバ装置から前記書式情報群を変更する指示を取得し、前記証明表示機能は、前記取得した指示に基づいて書式情報群を変更し、前記変更した書式情報群に基づいて、前記身分証明情報を画面に表示することを特徴とする。
【００３７】
これにより、本発明者らは、サーバ装置からの書式情報群および書式情報群を変更する指示の配信のタイミングで、画面に表示する身分証明情報が変更されるため、身分証明情報の表示を模倣した表示端末装置の使用を防ぎ、なりすましを抑制することを可能とした。以下、本発明の実施形態について図面を参照して説明する。
【００３８】
図１は、本発明の全体の構成を示す図である。図１によれば、ネットワークを介して、サーバ装置１、情報端末装置３および表示端末装置５が接続されている。また、近距離の無線通信リンクを介して、情報端末装置３と表示端末装置５とが接続されている。
【００３９】
図２は、本実施形態に係る情報表示システムの機能的構成を示すブロック図である。サーバ装置１は、所謂ＰＣサーバであり、少なくとも第１の証明記憶機能１０１、表示情報記憶機能１０３、表示更新機能１０５、証明機能１０７および第１の通信機能１０９から構成される。第１の証明記憶機能１０１は、当該情報表示システムを使用するユーザの身分証明情報を記憶する。表示情報記憶機能１０３は、身分証明情報を表示端末装置５の画面に表示する形式を示す書式情報群を記憶する。表示更新機能１０５は、表示情報記憶機能１０３に記憶されている書式情報群を選択し、表示端末装置５へ配信する。また、表示更新機能１０５は、表示端末装置５の画面に表示する身分証明情報の書式情報群を変更する指示を行なう。証明機能１０７は、当該情報表示システムを使用するユーザの認証を行ない、身分証明情報を情報端末装置３へ送付する。第１の通信機能１０９は、情報端末装置３および表示端末装置５と通信を行なう。
【００４０】
情報端末装置３は、少なくとも第１の通信機能３０１、ユーザ認証機能３０３、第２の証明記憶機能３０５、表示端末制御機能３０７および第２の通信機能３０９から構成される。第１の通信機能３０１は、サーバ装置１と通信を行なう。ユーザ認証機能３０３は、自システムを使用するユーザの認証を、例えば、生体認証等の認証技術を用いて行なう。第２の証明記憶機能３０５は、サーバ装置１から取得した身分証明情報を一時記憶する。表示端末制御機能３０７は、サーバ装置１と連携しながら、表示端末装置５の制御を行なう。第２の通信機能３０５は、表示端末装置５と通信を行なう。
【００４１】
表示端末装置５は、少なくとも第１の通信機能５０１、第２の通信機能５０３、制御機能５０５、記憶機能５０７および証明表示機能５０９から構成される。第１の通信機能５０１は、サーバ装置１と通信を行なう。第２の通信機能５０３は、情報端末装置３と通信を行なう。制御機能５０５は、自装置５の各機能を制御する。記憶機能５０７は、電子署名された身分証明情報を記憶する。証明表示機能５０９は、身分証明情報を表示する。
【００４２】
（情報表示システムの動作）
以上のように構成された情報表示システムの動作について説明する。サーバ装置１の第１の証明記憶機能１０１に、ユーザの身分証明情報が登録される。身分証明情報は、例えば、企業名などの発行者、氏名、顔写真、社員番号などの識別番号およびパスワード等である。
【００４３】
次に、情報端末装置３には、サーバ装置１と連携し表示端末装置５を制御する専用のアプリケーションがインストールされている。当該アプリケーションは、表示端末制御機能３０７を有している。表示端末制御機能３０７は、例えば、識別番号およびパスワードを用いて、サーバ装置１に対し、ユーザは利用登録を行なう。ユーザ利用登録の際に、ユーザ認証機能３０３を用いて、予め表示端末制御機能３０７にパスワードやユーザの生体情報等のユーザ認証に必要な情報を登録しておくことが好ましい。表示端末制御機能３０７に生体情報が登録され、情報端末装置３でユーザの本人確認が完了すると、サーバ装置１は、情報端末装置３に対し、電子署名された身分証明情報を送付する。第２の証明記憶機能３０５は、サーバ装置１から取得した身分証明情報を記憶する。身分証明書情報の電子署名は、公開鍵認証基盤（PKI: Public Key Infrastructure）で署名されると良い。
【００４４】
次に、情報端末装置３と表示端末装置５は、例えば、Ｂｌｕｅｔｏｏｔｈ（登録商標）等の近距離の無線通信技術を用いてペアリングを行なう。ペアリングが完了すると、表示端末装置５は、情報端末装置３から身分証明情報を取得する。そして、表示端末装置５は、サーバ装置１から書式情報群を取得する。取得した書式情報群に基づいて、取得した身分証明情報を証明表示機能５０９で画面に表示する。証明表示機能５０９の画面は、どのような画像でも表示できる画面であることが好ましい。例えば、電子ペーパーは消費電力や周囲の環境に依らない視認性の面で好ましい。また、画面はフルカラー表示でなくても良いが、カラー表示の方がグレースケール表示よりも模倣されにくいため、カラー表示であることが好ましい。
【００４５】
また、表示端末装置５は、サーバ装置１から書式情報群を変更する指示を取得する。取得した変更指示に基づいて書式情報群を変更し、変更した書式情報群に基づいて、身分証明情報を画面に表示する。書式情報群は、例えば、画面での身分証明情報の表示位置、文字の大きさ、フォント、文字色、表示画面の背景色や背景画像、そして身分証明情報の他に、一目で見比べて視認でき模倣されにくい画像情報（アイコン９）が含まれる。サーバ装置１から書式情報群を変更する指示を行なうことにより、一定のセキュリティを保つことが可能となる。書式情報群を変更する指示は、模倣を防ぐことができるタイミングで行なう。変更する指示を行なうタイミングは、更新間隔が早過ぎず遅過ぎないことが望ましい。例えば、数分から数十時間程度の時間間隔範囲内でのランダムな時間間隔が好ましいが、任意に決めた一定の時間間隔でも良い。
【００４６】
証明表示機能５０９は、第２の通信機能５０３が途絶したり、表示端末装置５の電源がオフにされたりした場合、身分証明情報を削除する。また、証明表示機能５０９は、表示端末装置５に電力を供給するバッテリーの充電量がある一定値（第１の閾値）以下になった場合、身分証明情報を削除する。例えば、バッテリーの残充電量が１０％になると、表示端末装置５と情報端末装置３の通信が途絶する恐れがあるため、画面に警告を表示し、表示端末装置５の充電を行なうよう促す。さらに、バッテリーの残充電量が５％になると、画面にエラーを表示し、身分証明情報を削除する。
【００４７】
書式情報群の変更を行なう手順について、以下に説明する。サーバ装置１は、書式情報群の変更を行なうタイミングになると、表示を更新するための書式情報群を表示端末装置５へ配信する。書式情報群の変更を行なう対象の表示端末装置は、サーバ装置１に登録されている全ユーザの表示端末装置であっても良いし、特定のエリアや所属事業所等によって特定された表示端末装置であっても良い。サーバ装置１と表示端末装置５は、無線ＬＡＮ（Local Area Network）を介して直接通信すると良い。通信プロトコルは、何でも良いが、インターネットまたはイントラネット上で稼働することが可能であり、出版−購読型（Publish/subscribe）モデルで軽量なプロトコルであるＩＢＭ社が提唱しているＭＱＴＴ（MQ Telemetry Transport）が適用できる。そして、表示端末装置５に対する書式情報群の変更をコントロールするため、ＱｏＳ（Quality of Service）＝１または２として、確実に配信することが好ましい。
【００４８】
書式情報群は、例えば、ＨＴＭＬ／ＣＳＳ文書により表示書式を指示できる。書式情報群の一つである画像情報を配信する場合は、画像データ自体を配信すれば良い。書式情報群は暗号化され、サーバ装置１から表示端末装置５に配信される。また、暗号化鍵は、身分証明情報内に含まれ、サーバ装置１から情報端末装置３経由で表示端末装置５へ送付される。身分証明情報送付経路と書式情報群配信経路を２経路にし、更に各情報が暗号化されることにより、よりセキュリティを強化することが可能となる。書式情報群の変更指示完了直後は、書式情報群配信のための出版／購読型プロトコルによる全ての表示端末装置５の画面の更新が完了するまで遅延が生じる可能性もあるため、情報端末装置３の表示端末制御機能３０７から表示端末装置５へ購読している書式情報群を更新するコマンド送信ができる機能や、表示端末装置５に購読している書式情報群の更新ボタンを設けても良い。
【実施例１】
【００４９】
図３Ａおよび図３Ｂは、表示端末装置５に表示された情報が真偽の場合の各動作を示すイメージ図である。表示端末装置５の画面に表示された情報を、視認によって真偽を判断する方法について、具体例として、社員Ａ（社員番号：５４３２１０佐藤 次郎）の表示情報と、警備員（社員番号：０１２３４５山田 太郎）の表示情報を用いて、以下に説明する。
【００５０】
図３Ａは、表示端末装置５の画面に表示された情報が正の場合の各動作を示すイメージ図である。サーバ装置１は各表示端末装置５に対し書式情報群（書式ファイルおよび画像ファイル）を配信する。各表示端末装置５は、取得した書式情報群に基づいて、身分証明情報を画面に表示する。警備員は、社員Ａの表示端末装置５の画面に表示されている表示形式や画像と、警備員自身の表示端末装置５の画面に表示されている表示形式や画像を、視覚により対比し、社員Ａの表示端末装置５が正規のものであると判断することができる。
【００５１】
図３Ｂは、表示端末装置５の画面に表示された情報が偽の場合の各動作を示すイメージ図である。図３Ａと同様、サーバ装置１は各表示端末装置５に対し書式情報群（書式ファイルおよび画像ファイル）を配信する。各表示端末装置５は、取得した書式情報群に基づいて、身分証明情報を画面に表示する。しかし、社員Ａを装った偽造者の表示端末装置５には、書式情報群の更新情報が配信されていない。警備員は、社員Ａの表示端末装置５の画面に表示されている表示形式や画像と、警備員自身の表示端末装置５の画面に表示されている表示形式や画像を、視覚により対比し、社員Ａを装った偽造者の表示端末装置５が偽造されたものであると判断することができる。
【００５２】
図４は、表示端末装置５の主な動作を示すフローチャートである。まず、例えば、Ｂｌｕｅｔｏｏｔｈ（登録商標）等の近距離の無線通信技術を用いて、情報端末装置３との通信の確立を試みる（ステップＳ１）。表示端末装置５と情報端末装置３はペアリングが完了しているため、情報端末装置３との通信確立後、情報端末装置３の表示端末制御機能３０７から身分証明情報を取得し、記憶機能５０７に記憶する（ステップＳ２）。次に、例えば、無線ＬＡＮ上のＭＱＴＴ等の通信技術を用いて、サーバ装置１との通信の確立を試みる（ステップＳ３）。サーバ装置１との通信確立後、サーバ装置１から書式情報群を取得し、取得した書式情報群に基づいて、身分証明情報を画面に表示する（ステップＳ４）。書式情報群が暗号化されている場合は、身分証明情報内に含まれている暗号鍵を用いて書式情報群の復号化を行なった後、書式情報群を使用する。身分証明情報および書式情報群は、サーバ装置１から次の書式情報群の変更指示を取得するまで、状況監視する（ステップＳ５）。状態監視中に、情報端末装置３との通信が途絶し、もしくは表示端末装置５の電源がオフになった（ステップＳ６）場合は、表示端末装置内の身分証明情報を削除し（ステップＳ８）、動作も終了する。状態監視中で、かつ情報端末装置３との通信は継続して確立されており、サーバ装置１から表示を更新するための書式情報群および身分証明情報の書式情報群を変更する指示を取得した場合は、暗号鍵も更新されている可能性があるため、身分証明情報を再度取得する処理（ステップＳ２）まで戻る（ステップＳ７）。状態監視中で、かつ情報端末装置３との通信は継続して確立されており、何も変化がない場合には、状態監視を継続する（ステップＳ７）。
【００５３】
図５は、情報端末装置３の主な動作を示すフローチャートである。まず、情報端末装置の専用アプリケーション３０７を起動する。専用アプリケーション３０７を起動すると、ユーザ認証機能３０３は、生体認証等によるユーザ認証を行なう（ステップＴ１）。次に、ペアリング済の表示端末装置５との通信が確立されているか確認する（ステップＴ２）。通信が確立されていない場合は、表示端末装置５との通信の確立を試みる（ステップＴ３）。表示端末装置５との通信が確立されている場合は、サーバ装置１との通信を確立する。サーバ装置１との通信確立後、サーバ装置１から身分証明情報を取得し、第２の証明記憶機能３０５で身分証明情報を記憶し、表示端末装置５へ身分証明情報を送付する（ステップＴ４）。その後、状態監視を行ない（ステップＴ５）、表示端末装置５からの身分証明情報更新要求の有無を確認する（ステップＴ６）。表示端末装置５から身分証明情報更新要求を取得した場合、書式情報群を復号化するための更新された暗号化鍵を取得するため、サーバ装置１から身分証明情報を再取得し、表示端末装置５へ身分証明情報を送付する処理（ステップＴ４）へ戻る。状態監視中に、アプリケーションの終了を検知すると、アプリケーションを終了する（ステップＴ７）。
【００５４】
図６は、サーバ装置１の主な動作を示すフローチャートである。まず、サーバプロセス終了指示の有無を確認し（ステップＰ１）、サーバプロセス終了指示が無い場合は、次回の書式情報群更新時刻を生成すると共に、記憶されている多数の書式ファイルやアイコンや背景等の画像ファイルの中からランダムに選択した書式情報群を生成し、書式情報群を暗号化するための暗号化鍵情報をランダムに生成する（ステップＰ２）。生成した書式情報群を生成した暗号化鍵で暗号化した後、各表示端末装置５へ配信する（ステップＰ３）。更新時刻になると、サーバプロセスの状態を確認する処理（ステップＰ１）へ戻る（ステップＰ４）。
【００５５】
図７は、表示端末装置５、情報端末装置３、サーバ装置１の間の処理の一例を示すシーケンス図である。表示端末装置５は、例えば、Ｂｌｕｅｔｏｏｔｈ（登録商標）等の通信技術を用いて、電源オン時に情報端末装置３との通信の確立を試みる（ステップＴ１０１）。通信確立後、表示端末装置５は、情報端末装置３に対し身分証明情報送付要求を行なう（ステップＴ１０２）。情報端末装置内に身分証明情報が記憶されていなければ、情報端末装置３から表示端末装置５へＮＧ(No Good)応答が返送され、情報端末装置内に身分証明情報が記憶されていれば、情報端末装置３から表示端末装置５へ身分証明情報が返送される（ステップＴ１０２）。
【００５６】
情報端末装置３のアプリケーション（以下、情報端末装置３）は、ユーザ認証機能３０３にて生体認証等によるユーザ認証を行なった後、サーバ装置１に対し、例えば、ＨＴＴＰＳ等の通信技術を用いて、ユーザ認証要求を行なう。サーバ装置１は、登録済のユーザであるか否かを確認し、情報端末装置３に対し確認結果を返送する。情報端末装置３は、ユーザ認証完了後、サーバ装置１に対し身分証明情報送付要求を行なう。サーバ装置１は情報端末装置３からの送付要求を受け、情報端末装置３に対し身分証明情報を送付する。その後、情報端末装置３は、表示端末装置５から身分証明情報送付要求があった場合、身分証明情報が第２の証明記憶機能３０５に存在するか確認し、存在する場合は、表示端末装置５に対し身分証明情報を送付する。
【００５７】
表示端末装置５は、身分証明情報を取得した後、サーバ装置に対し、例えば、ＩＢＭ提唱のＭＱＴＴ等の通信技術を用いて、書式購読要求を表示端末ＩＤと共に配信する。表示端末ＩＤは、サーバ装置１が個々の表示端末装置を一意に識別するための番号や文字列の情報であり、例えば第１の通信機能のネットワーク・インタフェースで使用されているＭＡＣ(Media Access Control)アドレス等を基に実現する。サーバ装置１は、購読要求を受け付けると、メッセージ送達確認のために購読中の表示端末ＩＤを記録する（ステップＴ１０３）。購読中に設定した表示端末装置５の場合は、各表示端末装置５へ配信している書式情報群を、該当する表示端末装置５に対し書式情報群の配信要求を行なう（ステップＴ１０４）。表示端末装置５は、書式情報群を取得すると書式情報群を記憶機能５０７へ格納し、格納した書式情報群に基づいて身分証明情報を画面に表示する。書式情報群は、暗号化して表示端末装置５へ配信しても良い。
【００５８】
表示端末装置５は、サーバ装置１との通信が確立しているか確認するために、サーバ装置１に対し定期的に通信し、生存確認要求を行なう（ステップＴ１０５）。生存確認要求に対し応答がない場合や無線ＬＡＮ通信の圏外となった場合は、表示端末装置５は身分証明情報を削除しても良い。
【００５９】
任意の時間が経過し、サーバ装置１が表示を更新するための書式情報群を配信し、書式情報群を変更する指示を行なう場合、サーバ装置１は、購読中の全表示端末装置に対し書式情報群配信要求を行なう。表示端末装置５は、取得した配信要求に応答し、サーバ装置１から書式情報群を取得し、記憶機能５０７へ書式情報群を格納する（ステップＴ１０６）。格納した書式情報群に基づいて、身分証明情報の表示を更新する。そして、サーバ装置１は、書式情報群を配信した購読中の表示端末装置５に対し、配信済の記録を行なう。配信できていない表示端末装置５へ配信要求を複数回にわたり配信を試みても良い。
【００６０】
表示端末装置５は、情報端末装置３との通信が途絶したり、自装置の電源がオフとされたりした場合は、身分証明情報を削除し、サーバ装置１へ購読解除要求を送付する。サーバ装置１は購読解除要求に対し応答するが、表示端末装置５はサーバ装置１からの応答の有無に関わらず終了処理を行なう（ステップＴ１０７）。
【００６１】
表示端末装置５とサーバ装置１との間で用いる通信技術は、例えば、ＭＱＴＴの代わりにＩＰマルチキャストによる同報通信技術を用いて通信を行なっても良く、書式情報群配信用の中間サーバ装置をＴＣＰ／ＩＰネットワークごとに設けても良い。または、ＭＱＴＴの代わりに、ＨＴＴＰ／ＨＴＴＰＳベースで通信を行なっても良い。また、ＭＱＴＴを用いる場合でも、事業所ごとに書式情報群配信サーバ装置を分けて設けても良い。その場合、複数台あるサーバ装置１の一つと通信するため、あて先アドレス（ステップＴ１０３）表示端末装置５が参加するネットワークのルータ装置で強制的にリダイレクトしても良いし、表示端末情報内に予め参加するネットワークに応じて書式情報群配信サーバの宛先アドレスを記憶させておいても良い。そして、情報端末装置３にある専用アプリケーションが起動される際に、情報端末装置３が存在するネットワークを選択することができ、身分証明情報内に書式情報群配信サーバの宛先を含ませて表示端末装置５に通知しても良い。
【００６２】
本発明の情報表示システムは、セキュリティを低くしても良い場合は、サーバ装置１と表示端末装置５が直接通信する必要はなく、情報端末装置３が身分証明情報および書式情報群を取得し、表示端末装置５では書式情報群に基づいて身分証明情報を表示させるだけでも良い。
【００６３】
また、情報端末装置３を介さずに、サーバ装置１と表示端末装置５が直接通信して、サーバ装置１と表示端末装置５の間でユーザ認証を行ない、表示端末装置５は身分証明情報および書式情報群を取得し、画面に身分証明情報を表示させても良い。
【００６４】
また、表示端末装置５に、ＮＦＣ（Near Field Communication）等の第３の通信機能を更に設け、ドアの錠に同様に第３の通信機能を設け、第３の通信機能により、身分証明情報内に含ませたドア解錠のための鍵情報をドアの錠に転送し、サーバ装置１にて認証することによりドアの開錠を行なっても良い。
【００６５】
以上説明したように、本実施形態によれば、サーバ装置１からの書式情報群および書式情報群を変更する指示の配信のタイミングで、画面に表示する身分証明情報が変更されるため、身分証明情報の表示を模倣した表示端末装置５の使用を防ぐことができ、なりすましを抑制することが可能となる。
【符号の説明】
【００６６】
１  サーバ装置
３  情報端末装置
５  表示端末装置
１０１  第１の証明記憶機能
１０３  表示情報記憶機能
１０５  表示更新機能
１０７  証明機能
１０９、３０１、５０１  第１の通信機能
３０３  ユーザ認証機能
３０５  第２の証明記憶機能
３０７  表示端末制御機能
３０９、５０３  第２の通信機能
５０５  制御機能
５０７  記憶機能
５０９  証明表示機能
【図１】
0006328005.tif 000002
【図２】
0006328005.tif 000003
【図３Ａ】
0006328005.tif 000004
【図３Ｂ】
0006328005.tif 000005
【図４】
0006328005.tif 000006
【図５】
0006328005.tif 000007
【図６】
0006328005.tif 000008
【図７】
0006328005.tif 000009